(57)【要約】【課題】記録媒体に対する不安定な吸着力の影響、及び、インクに対する不安定な電界方向による影響を抑制するとともに、保護フィルムが搬送ベルトとの接触によって剥がれにくくする。【解決手段】インクジェットプリンタは、インクジェットヘッドとの間において搬送ベルト５３を挟む位置に配置された吸着装置６０を有している。吸着装置６０は、ベース部材６１と、ベース部材６１上に配置され、複数の長尺部６２ａ，６３ａ及び繋ぎ部６２ｂ，６３ｂを有する２つの電極６２，６３と、これら電極６２，６３全体を覆うようにベース部材６１上に接着された保護フィルム６４とを有している。長尺部６２ａ，６３ａは、繋ぎ部６２ｂ，６３ｂがインクジェットヘッド２から離れるように、保護フィルム６４とともに折り曲げられている。【選択図】図４
2010208117.tif 000002
【特許請求の範囲】
【請求項１】
記録媒体にインクを吐出して画像を形成する記録ヘッドと、
記録媒体を前記記録ヘッドと対向する位置に搬送する搬送ベルトと、
前記記録ヘッドとの間において前記搬送ベルトを挟む位置に配置されたベース部材、前記ベース部材の前記記録ヘッドと対向する平面に配置され記録媒体の搬送方向に関して前記記録ヘッドよりも長い複数の第１長尺部を有する第１電極、前記平面に配置され前記搬送方向に関して前記記録ヘッドよりも長く且つ前記搬送方向と直交する方向に沿って前記第１長尺部と交互に配置された複数の第２長尺部を有する第２電極、及び、前記第１及び第２電極全体を覆うように前記ベース部材上に形成された保護フィルムを有し、前記第１及び第２電極に互いに異なる電位が印加されることで前記搬送ベルトに記録媒体を吸着させる吸着力を発生させる吸着手段とを備えており、
前記第１電極が、前記搬送方向に関して前記記録ヘッドよりも上流において前記複数の第１長尺部を繋ぐ第１繋ぎ部を有しており、
前記第２電極が、前記搬送方向に関して前記記録ヘッドよりも下流において前記複数の第２長尺部を繋ぐ第２繋ぎ部を有しており、
前記第１繋ぎ部が前記ベース部材の厚み方向に関して前記第１長尺部よりも前記記録ヘッドから離れるように、前記第１長尺部の前記記録ヘッドと対向しない領域が前記保護フィルムとともに折り曲げられていることを特徴とする記録装置。
【請求項２】
前記第２繋ぎ部が前記ベース部材の厚み方向に関して前記第２長尺部よりも前記記録ヘッドから離れるように、前記第２長尺部の前記記録ヘッドと対向しない領域が前記保護フィルムとともに折り曲げられていることを特徴とする請求項１に記載の記録装置。
【請求項３】
前記第１及び第２繋ぎ部が、前記ベース部材の上流及び下流側面に配置されていることを特徴とする請求項２に記載の記録装置。
【請求項４】
前記ベース部材が、前記平面を有する平坦部と、前記平坦部の前記搬送方向の両端に接続され、前記平坦部の厚み方向に関して前記平面よりも前記記録ヘッドから離れた傾斜面を有する２つの傾斜部とを有しており、
前記第１及び第２繋ぎ部が、前記傾斜面に配置されていることを特徴とする請求項２に記載の記録装置。
【請求項５】
前記保護フィルムの前記第１及び第２長尺部の折り曲げ部分を覆う部分が、アール形状を有していることを特徴とする請求項３又は４に記載の記録装置。
【請求項６】
前記搬送ベルトが架け渡された一対のローラをさらに備えており、
前記ベース部材は、前記一対のローラを結ぶ前記搬送方向に平行な接線のうち前記記録ヘッドに近い接線よりも前記平面が前記記録ヘッドに近くなるように配置されていることを特徴とする請求項３〜５のいずれか１項に記載の記録装置。
【発明の詳細な説明】
【技術分野】
【０００１】
本発明は、記録媒体に画像を形成する記録装置に関する。
【背景技術】
【０００２】
特許文献１には、液体を吐出する記録ヘッドと、記録ヘッドと対向する位置にシート（記録媒体）を搬送する搬送ベルトと、搬送ベルトに静電吸着力を生じさせる静電吸着力発生手段とを有するインクジェットプリンタについて記載されている。
【０００３】
このインクジェットプリンタにおいて、静電吸着力発生手段は、櫛歯形状の電極板及びアース板と、これら電極及びアース板を覆う電極保護フィルムとを有しており、電極板に電圧を印加することによって搬送ベルトに静電吸着力を生じさせる。そして、シートが静電吸着力によって搬送ベルトに吸着されながら記録ヘッドと対向する領域に搬送され、記録ヘッドにより当該シートに画像が形成される。
【先行技術文献】
【特許文献】
【０００４】
【特許文献１】特許第２８０４７１５号
【発明の概要】
【発明が解決しようとする課題】
【０００５】
しかしながら、上記特許文献１に記載のインクジェットプリンタにおいては、電極板の複数の凸部を接続する繋ぎ部が記録ヘッドと対向する位置に配置されている。この繋ぎ部近傍では、電極板とアース板との離隔距離が大きくなる部分（電極板の凹部の角とアース板の凸部先端の角との部分）があり、この部分を通る電流の第１経路が他の部分（搬送方向に沿って互いに平行な電極板及びアース板の凸部同士の部分）を通る電流の第２経路よりも長くなる。したがって、第１経路における抵抗値が第２経路よりも大きくなる。搬送ベルトとシートの間に働くジョンセン・ラーベック力（吸着力）は、搬送ベルトとシートの間に流れる電流の増加に伴って増加するので、抵抗値が大きくなると当然電流値が低下する。そのため、離隔距離が大きくなる部分による吸着力が他の部分による吸着力よりも弱くなる。さらには、電界の方向が搬送方向に沿って互いに平行な電極板及びアース板の凸部同士の部分の電界の方向と異なって不安定となり、記録ヘッドから吐出された液体に影響して液体の着弾位置が乱れる。
【０００６】
また、電極保護フィルムは、単に水平に保たれた状態で電極台に接着されているだけなので、走行する搬送ベルトと電極保護フィルムの搬送方向上流端とがこすれやすく、電極保護フィルムが電極台から剥離することがある。
【０００７】
そこで、本発明の目的は、記録媒体に対する不安定な吸着力の影響、及び、インクに対する不安定な電界方向による影響を抑制するとともに、保護フィルムが搬送ベルトとの接触によって剥がれにくくすることが可能な記録装置を提供することである。
【課題を解決するための手段】
【０００８】
本発明の記録装置は、記録媒体にインクを吐出して画像を形成する記録ヘッドと、記録媒体を前記記録ヘッドと対向する位置に搬送する搬送ベルトと、前記記録ヘッドとの間において前記搬送ベルトを挟む位置に配置されたベース部材、前記ベース部材の前記記録ヘッドと対向する平面に配置され記録媒体の搬送方向に関して前記記録ヘッドよりも長い複数の第１長尺部を有する第１電極、前記平面に配置され前記搬送方向に関して前記記録ヘッドよりも長く且つ前記搬送方向と直交する方向に沿って前記第１長尺部と交互に配置された複数の第２長尺部を有する第２電極、及び、前記第１及び第２電極全体を覆うように前記ベース部材上に形成された保護フィルムを有し、前記第１及び第２電極に互いに異なる電位が印加されることで前記搬送ベルトに記録媒体を吸着させる吸着力を発生させる吸着手段とを備えている。そして、前記第１電極が、前記搬送方向に関して前記記録ヘッドよりも上流において前記複数の第１長尺部を繋ぐ第１繋ぎ部を有しており、前記第２電極が、前記搬送方向に関して前記記録ヘッドよりも下流において前記複数の第２長尺部を繋ぐ第２繋ぎ部を有しており、前記第１繋ぎ部が前記ベース部材の厚み方向に関して前記第１長尺部よりも前記記録ヘッドから離れるように、前記第１長尺部の前記記録ヘッドと対向しない領域が前記保護フィルムとともに折り曲げられている。
【０００９】
これによると、第１繋ぎ部近傍において生じる記録媒体に対する不安定な吸着力の影響、及び、記録ヘッドから吐出されたインクに対する不安定な電界方向による影響を抑制することが可能になる。そのため、画像品質が向上する。さらに、保護フィルムが搬送ベルトとの接触によって剥がれにくくなる。
【００１０】
本発明において、前記第２繋ぎ部が前記ベース部材の厚み方向に関して前記第２長尺部よりも前記記録ヘッドから離れるように、前記第２長尺部の前記記録ヘッドと対向しない領域が前記保護フィルムとともに折り曲げられていることが好ましい。これにより、第２繋ぎ部近傍において生じる記録媒体に対する不安定な吸着力の影響、及び、記録ヘッドから吐出されたインクに対する不安定な電界方向による影響を抑制することが可能になる。そのため、画像品質がより向上する。
【００１１】
また、このとき、前記第１及び第２繋ぎ部が、前記ベース部材の上流及び下流側面に配置されていることが好ましい。これにより、搬送方向に関してベース部材を小さくすることが可能となる。
【００１２】
また、このとき、前記ベース部材が、前記平面を有する平坦部と、前記平坦部の前記搬送方向の両端に接続され、前記平坦部の厚み方向に関して前記平面よりも前記記録ヘッドから離れた傾斜面を有する２つの傾斜部とを有しており、前記第１及び第２繋ぎ部が、前記傾斜面に配置されていることが好ましい。これにより、第１及び第２長尺部の折り曲げ角度を比較的緩やかにすることが可能となる。そのため、これら長尺部が断絶しにくくなる。
【００１３】
また、このとき、前記保護フィルムの前記第１及び第２長尺部の折り曲げ部分を覆う部分が、アール形状を有していることが好ましい。これにより、保護フィルムがより一層剥がれにくくなる。
【００１４】
また、このとき、前記搬送ベルトが架け渡された一対のローラをさらに備えており、前記ベース部材は、前記一対のローラを結ぶ前記搬送方向に平行な接線のうち前記記録ヘッドに近い接線よりも前記平面が前記記録ヘッドに近くなるように配置されていることが好ましい。これにより、記録媒体に対する吸着手段による吸着力の低下を抑制することができるともに、搬送ベルトに張力を付与することができる。
【発明の効果】
【００１５】
本発明の記録装置によると、第１繋ぎ部近傍において生じる記録媒体に対する不安定な吸着力の影響、及び、記録ヘッドから吐出されたインクに対する不安定な電界方向による影響を抑制することが可能になる。そのため、画像品質が向上する。さらに、保護フィルムが搬送ベルトとの接触によって剥がれにくくなる。
【図面の簡単な説明】
【００１６】
【図１】本発明の一実施形態によるインクジェットプリンタの外観を示す斜視図である。
【図２】図１に示すインクジェットプリンタの内部構造を示す概略側面図である。
【図３】図２に示す４つのインクジェットヘッド及びこれらの近傍を上方から見たときの平面図である。
【図４】（ａ）は図３に示すIV−IV線に沿った断面図であり、（ｂ）は吸着装置を搬送方向上流から見たときの側面図であり、（ｃ）は吸着装置を搬送方向下流から見たときの側面図である。
【図５】本発明の一実施形態に係る吸着装置の変形例を示しており、（ａ）は搬送ユニット及び吸着装置を上方から見たときの平面図であり、（ｂ）は搬送ユニット及び吸着装置の正面図である。
【発明を実施するための形態】
【００１７】
以下、本発明の好適な実施の形態について、図面を参照しつつ説明する。
【００１８】
図１に示すように、インクジェットプリンタ１は直方体形状の筐体１ａを有し、その正面（図１の紙面左方の手前側の面）には、上から順に２つの開口３ａ，３ｂが形成されている。開口３ａには、下端の水平軸を支点として開閉可能な扉４が設けられている。開口３ａ及び扉４は、筐体１ａの奥行き方向（図２の紙面に対して垂直な方向であって主走査方向）に関して、搬送ユニット５０と対向配置されている。この構成において、搬送ユニット５０上で用紙Ｐがジャムしたときに、ユーザが扉４を開けて搬送ユニット５０を図示しない昇降機構で下降させ、ジャムした用紙Ｐ（記録媒体）を取り除くことが可能となる。
【００１９】
インクジェットプリンタ１は、図２に示すように、マゼンタ、シアン、イエロー、ブラックのインクをそれぞれ吐出する４つのインクジェットヘッド２を有するカラーインクジェットプリンタである。このプリンタ１には、図２中下方に給紙ユニット１０が、図２中上方に排紙部１５がそれぞれ設けられており、これらの間に搬送方向Ａに沿って用紙Ｐを搬送する搬送ユニット５０が設けられている。さらに、プリンタ１には、これらの動作を制御する制御部１００が含まれている。
【００２０】
４つのインクジェットヘッド２は、主走査方向に長尺な略直方体形状を有しており、副走査方向に沿って並べられている。すなわち、このインクジェットプリンタ１は、ライン式プリンタである。なお、本実施形態において、副走査方向とは用紙Pの搬送方向Aと平行な方向であり、主走査方向とは副走査方向に直交する方向であって水平面に沿った方向（図３中上下方向）である。
【００２１】
インクジェットヘッド２は、圧力室を含むインク流路が形成された流路ユニットと、圧力室のインクに圧力を与えるアクチュエータとが貼り合わされた積層体（ともに図示せず）を有しており、底面はインクを吐出する吐出面２ａとなっている。吐出面２ａには、インクを吐出する複数の吐出口（不図示）が形成されている。吐出面２ａは、主走査方向に関して、用紙Ｐよりも若干長く形成されており、用紙Ｐの全面に画像を形成する（縁なし印刷する）ことが可能となっている。
【００２２】
給紙ユニット１０は、図２に示すように、積層された複数の用紙Ｐを収納可能な給紙カセット１１と、給紙カセット１１から用紙Ｐを送り出す給紙ローラ１２と、給紙ローラ１２を回転させる給紙モータ（不図示）とを有している。給紙カセット１１は、図２の紙面垂直方向に関して、開口３ｂから着脱可能に配置されており、筐体１ａに装着されたときに、図２中上下方向に関して搬送ユニット５０と重なる位置に配置される。
【００２３】
給紙ローラ１２は、最も上方に位置する用紙Ｐと回転しながら接触することで給紙カセット１１から用紙Ｐを送り出す。なお、給紙モータは制御部１００によって制御される。給紙カセット１１の図２中左端部側には、給紙カセット１１から搬送ユニット５０に向かって湾曲しながら延在する搬送ガイド１７が設けられている。
【００２４】
この構成において、制御部１００の制御により、給紙ローラ１２が図２中時計回り方向に回転することによって、給紙ローラ１２と接触した用紙Ｐが搬送ガイド１７を通って搬送ユニット５０に送り出される。
【００２５】
搬送ユニット５０は、一対のベルトローラ５１，５２と、両ローラ５１，５２間に架け渡されるように巻回されたエンドレスの搬送ベルト５３と、制御部１００に制御されベルトローラ５２を回転させる搬送モータ（不図示）と、吸着装置６０とを有している。２つのベルトローラ５１，５２は、搬送方向Ａに沿って並設されている。
【００２６】
搬送ベルト５３は、例えば、ポリイミド、フッ素樹脂からなり、１０８〜１０１４Ωcm程度の体積抵抗率及び可撓性を有しているが、同様の体積抵抗率及び可撓性を有することが可能であれば、どのような材質であってもよい。
【００２７】
吸着装置（吸着手段）６０は、図２に示すように、搬送ベルト５３によって囲まれた領域内に配置されており、絶縁材料から構成され平坦な上面（平面）６１ａを有する板状のベース部材６１と、ベース部材６１上に接着された２つの電極６２，６３と、これら電極６２，６３全体を覆うようにベース部材６１上に接着された保護フィルム６４とを含んでいる。
【００２８】
ベース部材６１は、４つのインクジェットヘッド２と対向する位置に配置されている。また、ベース部材６１は、図３に示すように、搬送方向Ａに関して上流端が最も上流にあるインクジェットヘッド２よりも上流に位置し、下流端が最も下流にあるインクジェットヘッド２よりも下流に位置している。すなわち、ベース部材６１の副走査方向の長さは、最も上流にあるインクジェットヘッド２の上流端から最も下流にあるインクジェットヘッド２の下流端よりも長く形成されている。また、ベース部材６１の主走査方向の長さは、ベルトローラ５１，５２とほぼ同じ長さとなっている。
【００２９】
ベース部材６１は、図２に示すように、一対のベルトローラ５１，５２を結ぶ搬送方向Ａに平行な接線のうち、インクジェットヘッド２に近い接線Ｓよりも上面６１ａがインクジェットヘッド２に近くなるように配置されている。これにより、吸着装置６０と搬送ベルト５３の上側ループの内周面との間にほとんど隙間がなくなり、用紙Ｐに対する吸着装置６０による吸着力の低下を抑制することができる。また、吸着装置６０で搬送ベルト５３の内周側からこれを支持することになって、搬送ベルト５３の上側ループの搬送面５４とインクジェットヘッド２の吐出面２ａとが対向しつつ平行になり、且つ、吐出面２ａと搬送ベルト５３の搬送面５４との間に僅かな隙間が形成される。当該隙間は、用紙搬送経路の一部を構成している。
【００３０】
電極（第１電極）６２は、図３及び図４に示すように、搬送方向Ａに沿って延在した４本の長尺部６２ａと、主走査方向に沿って延在しこれら長尺部６２ａを繋ぐ繋ぎ部６２ｂとを有し、櫛歯形状となっている。長尺部６２ａは、搬送方向Ａに関して、下流端が平面６１ａの下流端近傍に位置し、上流端がベース部材６１の上流側面６１ｂに位置している。つまり、長尺部６２ａも最も上流にあるインクジェットヘッド２の上流端から最も下流にあるインクジェットヘッド２の下流端よりも長く形成されている。さらに、長尺部６２ａは、上流端が上流側面６１ｂに配置されるように（インクジェットヘッド２から離れるように）、最も上流にあるインクジェットヘッド２よりも上流に位置する上流端近傍部分（インクジェットヘッド２と対向しない領域）において折り曲げられている。また、繋ぎ部６２ｂは、上流側面６１ｂに配置されており、４つの長尺部６２ａの上流端と繋がっている。
【００３１】
電極（第２電極）６３も、電極６２と同様に、搬送方向Ａに沿って延在した４本の長尺部６３ａと、主走査方向に沿って延在しこれら長尺部６３ａを繋ぐ繋ぎ部６３ｂとを有し、櫛歯形状となっている。４本の長尺部６３ａは、主走査方向に沿って長尺部６２ａと交互に配置されている。また、長尺部６３ａは、搬送方向Ａに関して、上流端が平面６１ａの上流端近傍に位置し、下流端がベース部材６１の下流側面６１ｃに位置している。つまり、長尺部６３ａも最も上流にあるインクジェットヘッド２の上流端から最も下流にあるインクジェットヘッド２の下流端よりも長く形成されている。さらに、長尺部６３ａは、下流端が下流側面６１ｃに配置されるように（インクジェットヘッド２から離れるように）、最も下流にあるインクジェットヘッド２よりも下流に位置する下流端近傍部分（インクジェットヘッド２と対向しない領域）において折り曲げられている。また、繋ぎ部６３ｂは、下流側面６１ｃに配置されており、４つの長尺部６３ａの下流端と繋がっている。このように繋ぎ部６２ｂ，６３ｂが、上流及び下流側面６１ｂ，６１ｃに配置されていることで、搬送方向Ａに関してベース部材６１を小さくすることが可能となる。また、２つの電極６２，６３の繋ぎ部６２ｂ，６３ｂは、図示しない電源に接続されている。なお、電源は、制御部により制御される。
【００３２】
保護フィルム６４は、例えば、ポリイミド、フッ素樹脂からなり、１０８〜１０１４Ωcm程度の体積抵抗率を有しているが、同様の体積抵抗率を有することが可能であれば、どのような材質であってもよい。また、保護フィルム６４は、上面６１ａ、上流側面６１ｂ及び下流側面６１ｃの全体を覆うように、すなわち、電極６２，６３全体を覆うように配置されている。換言すると、保護フィルム６４は、上面６１ａと上流側面６１ｂとの接続部分及び上面６１ａと下流側面６１ｃとの接続部分と対応する位置において、長尺部６２ａ，６３ａとともに折り曲げられており、保護フィルム６４の上流端及び下流端が上流側面６１ｂ及び下流側面６１ｃと対向する位置に配置されている。保護フィルム６４の折り曲げ部分（長尺部６２ａ，６３ａの折り曲げ部分を覆う部分）は、図２に示すようにアール形状を有している。これにより、保護フィルム６４の折り曲げ部分と搬送ベルト５３とが接触しても保護フィルム６４がベース部材６１からより一層剥がれにくくなる。
【００３３】
搬送方向Ａに関して最も上流にあるインクジェットヘッド２の上流であって、長尺部６２ａ，６３ａの上流部分と対向する位置には、図２〜図４に示すように、用紙Ｐを搬送面５４に押圧する押圧機構７０が設けられている。押圧機構７０は、図２及び図４に示すように、主走査方向に長尺なローラ７１と、ローラ７１を回転可能に支持する軸部材７２と、搬送ベルト５３に向かってローラを付勢する付勢部材７３とを有している。
【００３４】
ローラ７１の主走査方向の長さは、搬送ベルト５３の幅とほぼ同じになっている。付勢部材７３は、バネなどの弾性部材からなり、軸部材７２の両端に連結されている。これにより、給紙ユニット１０から送り出された用紙Ｐを搬送面５４に押し付けることができる。
【００３５】
この構成において、制御部１００の制御により、ベルトローラ５２を図２中時計回りに回転させることによって、搬送ベルト５３が回転する。このとき、搬送ベルト５３の回転に伴ってベルトローラ５１及びローラ７１も回転する。
【００３６】
また、このとき、制御部１００の制御により、２つの電極６２，６３に互いに異なる電位（電極６２は正又は負の電位、電極６３はグランド電位）が印加される。なお、電極６２には、例えば、１ｋＶの電位が印加される。このように２つの電極６２，６３に電位が印加されると、図４（ａ）中矢印に示すように、電流が流れる。つまり、電流が、電極６２（長尺部６２ａ）から保護フィルム６４→搬送ベルト５３→用紙Ｐに至り、用紙Ｐから搬送ベルト５３→保護フィルム６４を通って電極６３（長尺部６３ａ）に流れる。そして、搬送ベルト５３の用紙Ｐと対向する部分に正又は負の電荷が生じ、用紙Ｐの搬送ベルト５３と対向する面に先の電荷とは極性の異なる電荷が誘起され、これらの電荷同士が引き合うことで用紙Ｐを搬送ベルト５３に吸着させる吸着力（ジョンセン・ラーベック力）が生じる。
【００３７】
本実施形態においては、図３に示すように、４つのインクジェットヘッド２と対向する位置には、繋ぎ部６２ｂ，６３ｂは存在せず長尺部６２ａ，６３ａだけが存在している。つまり、長尺部６２ａ，６３ａに電位が印加されても、４つのヘッドによる印刷領域には均一な吸着力が生じるとともに同方向の電界が生じる。このため、用紙Ｐに対する不安定な吸着力の影響、及び、インクジェットヘッド２から吐出されたインクに対する不安定な電界方向による影響を抑制することが可能となる。さらに、長尺部６２ａ，６３ａは、繋ぎ部６２ｂ，６３ｂがインクジェットヘッド２から離れるように、折り曲げられている。このため、繋ぎ部６２ｂ，６３ｂが、長尺部６２ａ，６３ａと同一平面において、４つのインクジェットヘッド２と対向する位置に隣接して配置されたときよりも、用紙Ｐに対する不安定な吸着力の影響、及び、インクジェットヘッド２から吐出されたインクに対する不安定な電界方向による影響を抑制することが可能となる。したがって、給紙ユニット１０から送り出された用紙Ｐが、均一に生じる吸着力によって搬送面５４に吸着されながら搬送方向Ａに搬送される。
【００３８】
そして、搬送ベルト５３の搬送面５４上に吸着されつつ搬送されてきた用紙Ｐが４つのインクジェットヘッド２のすぐ下方を順に通過する際に、制御部１００が各インクジェットヘッド２を制御し、用紙Ｐに向けて各色のインクが吐出される。このときも、当該インクに不安定な電界方向による影響がないので、用紙Ｐに高品質のカラー画像を形成することができる。
【００３９】
搬送ユニット５０の搬送方向Ａのすぐ下流側には、剥離部材９が設けられている。剥離部材９は、その先端が用紙Ｐと搬送ベルト５３との間に入り込むことによって、用紙Ｐを搬送面５４から剥離する。なお、用紙Ｐの前端が剥離部材９に到達するころには、搬送面５４と用紙Ｐの前端との間の吸着力が弱まっているので、用紙Ｐが剥離部材９によって搬送面５４から剥離される。
【００４０】
搬送ユニット５０と排紙部１５との搬送経路に沿う間には、４つの送りローラ２１ａ，２１ｂ，２２ａ，２２ｂと、送りローラ２１ａ，２１ｂと送りローラ２２ａ，２２ｂとの間に配置された搬送ガイド１８とが配置されている。送りローラ２１ｂ，２２ｂは、制御部１００に制御される送りモータ（不図示）によって回転駆動される。この構成において、制御部１００の制御により、送りローラ２１ｂ，２２ｂが回転され、搬送ユニット５０から排出された用紙Ｐが送りローラ２１ａ，２１ｂに挟持されながら搬送ガイド１８を通されて図２中上方に送られる。そして、送りローラ２２ａ，２２ｂに挟持されながら排紙部１５に送られる。なお、送りローラ２１ａ，２２ａは、従動ローラであり用紙搬送に伴って回転する。
【００４１】
以上のように、本実施形態のインクジェットプリンタ１によると、繋ぎ部６２ｂ，６３ｂ近傍において生じる用紙Ｐに対する不安定な吸着力の影響、及び、インクジェットヘッド２から吐出されたインクに対する不安定な電界方向による影響を抑制することが可能になり、画像品質が向上する。さらに、用紙搬送時において、搬送ベルト５３と吸着装置６０の保護フィルム６４とが接触していても、保護フィルム６４の上流端はベース部材６１の上流側面６１ｂ上に存在し搬送ベルト５３と接触しないので、保護フィルム６４が剥がれにくくなる。
【００４２】
また、変形例として、図５に示すような吸着装置２６０をインクジェットプリンタに採用してもよい。本変形例における吸着装置２６０は、絶縁材料から構成され平坦な上面（平面）２６１ａが形成された平坦部２６５及び平坦部２６５の搬送方向Ａの両端に接続された２つの傾斜部２６６，２６７を有するベース部材２６１と、ベース部材２６１上に接着された２つの電極２６２，２６３と、これら電極２６２，２６３全体を覆うようにベース部材２６１上に接着された保護フィルム２６４とを含んでいる。
【００４３】
平坦部２６５は、上述のベース部材６１と同じ位置及び同じサイズとなっている。２つの傾斜部２６６，２６７には、上面２６１ａよりもインクジェットヘッド２から離れた、すなわち、下方に傾斜した傾斜面２６１ｂ，２６１ｃが形成されている。
【００４４】
電極（第１電極）２６２は、上述の電極６２と同様に、４本の長尺部２６２ａと、これら長尺部２６２ａと繋ぐ繋ぎ部２６２ｂとを有し、櫛歯形状となっている。長尺部２６２ａは、搬送方向Ａに関して、下流端が平面２６１ａの下流端近傍に位置し、上流端が傾斜面２６１ｂに位置している。つまり、長尺部２６２ａも最も上流にあるインクジェットヘッド２の上流端から最も下流にあるインクジェットヘッド２の下流端よりも長く形成されている。さらに、長尺部２６２ａは、上流端が傾斜面２６１ｂに配置されるように（インクジェットヘッド２から離れるように）、最も上流にあるインクジェットヘッド２よりも上流に位置する上流端近傍部分（インクジェットヘッド２と対向しない領域）において折り曲げられている。また、繋ぎ部２６２ｂは、傾斜面２６１ｂに配置されており、４つの長尺部２６２ａの上流端と繋がっている。
【００４５】
電極（第２電極）２６３も、上述の電極６３と同様に、４本の長尺部２６３ａと、これら長尺部２６３ａを繋ぐ繋ぎ部２６３ｂとを有し、櫛歯形状となっている。４本の長尺部２６３ａは、主走査方向に沿って長尺部２６２ａと交互に配置されている。また、長尺部２６３ａは、搬送方向Ａに関して、上流端が平面２６１ａの上流端近傍に位置し、下流端が傾斜面２６１ｃに位置している。つまり、長尺部２６３ａも最も上流にあるインクジェットヘッド２の上流端から最も下流にあるインクジェットヘッド２の下流端よりも長く形成されている。さらに、長尺部２６３ａは、下流端が傾斜面２６１ｃに配置されるように（インクジェットヘッド２から離れるように）、最も下流にあるインクジェットヘッド２よりも下流に位置する下流端近傍部分（インクジェットヘッド２と対向しない領域）において折り曲げられている。また、繋ぎ部２６３ｂは、傾斜面２６１ｃに配置されており、４つの長尺部２６３ａの下流端と繋がっている。また、２つの電極２６２，２６３の繋ぎ部２６２ｂ，２６３ｂは、上述の実施形態と同様に電源に接続されている。
【００４６】
保護フィルム２６４は、上述の保護フィルム６４と同様の材質からなり、電極２６２，２６３全体を覆うように、上面２６１ａ、傾斜面２６１ｂ，２６１ｃ上に配置されている。つまり、保護フィルム２６４は、上面２６１ａと傾斜面２６１ｂの接続部分及び上面２６１ａと傾斜面２６１ｃの接続部分と対応する位置において、長尺部２６２ａ，２６３ａとともに折り曲げられており、保護フィルム２６４の上流端及び下流端が傾斜面２６１ｂの上流端及び傾斜面２６１ｃの下流端と対向する位置に配置されている。保護フィルム２６４の折り曲げ部分は、図５（ｂ）に示すようにアール形状を有している。これにより、保護フィルム２６４の折り曲げ部分と搬送ベルト５３とが接触しても保護フィルム２６４がベース部材２６１からより一層剥がれにくくなる。
【００４７】
このような吸着装置２６０においても、２つの電極２６２，２６３に互いに異なる電位を印加すると、上述の実施形態と同様に、上面２６１ａと対向する部分（４つのヘッドによる印刷領域）には、均一な吸着力が生じるとともに同方向の電界が生じる。このため、上述と同様に、用紙Ｐに対する不安定な吸着力の影響、及び、インクジェットヘッド２から吐出されたインクに対する不安定な電界方向による影響を抑制することが可能となる。また、本変形例による吸着装置２６０においては、長尺部２６２ａ，２６３ａの折り曲げ角度を上述の実施形態におけるよりも緩やかにすることが可能となる。そのため、これら長尺部２６２ａ，２６３ａが断絶しにくくなる。
【００４８】
以上、本発明の好適な実施の形態について説明したが、本発明は上述の実施の形態に限られるものではなく、特許請求の範囲に記載した限りにおいて様々な変更が可能なものである。例えば、上述の実施形態及び変形例においては、繋ぎ部６３ｂ，２６３ｂがインクジェットヘッド２から離れるように、長尺部６３ａ，２６３ａが折り曲げられていたが、これらは折り曲げられていなくてもよい。この場合、繋ぎ部６３ｂ，２６３ｂは、インクジェットヘッド２と対向しない領域に配置されていることが望ましい。また、保護フィルム６４，２６４の折り曲げ部分がアール形状を有していなくてもよい。また、吸着装置６０，２６０は、搬送ベルト５３に張力を付与しない程度に保護フィルム６４，２６４と搬送ベルト５３の上側ループの内周面とが接触する位置に配置しておればよい。
【００４９】
また、電極６２，２６２にグランド電位、電極６３，２６３に正又は負の電位を印加してもよいし、両電極６２，２６２，６３，２６３に互いに異なる正又は負の電位を印加してもよい。また、本発明は、インクジェットヘッド以外の記録ヘッドが採用された記録装置においても適用することが可能である。
【符号の説明】
【００５０】
１  インクジェットプリンタ（記録装置）
２  インクジェットヘッド（記録ヘッド）
５１，５２  ベルトローラ
５３  搬送ベルト
６０，２６０  吸着装置（吸着手段）
６１，２６１  ベース部材
６１ａ，２６１ａ  上面（平面）
６１ｂ  上流側面
６１ｃ  下流側面
６２，２６２  電極（第１電極）
６２ａ，２６２ａ  長尺部（第１長尺部）
６３ａ，２６３ａ  繋ぎ部（第１繋ぎ部）
６３，２６３  電極（第２電極）
６３ａ，２６３ａ  長尺部（第２長尺部）
６３ｂ，２６３ｂ  繋ぎ部（第２繋ぎ部）
６４，２６４  保護フィルム
２６１ｂ，２６１ｃ  傾斜面
２６５  平坦部
２６６，２６７  傾斜部
Ｓ  接線
【図１】
2010208117.tif 000003
【図２】
2010208117.tif 000004
【図３】
2010208117.tif 000005
【図４】
2010208117.tif 000006
【図５】
2010208117.tif 000007